(57)【要約】本明細書に開示される実施形態は、子供にとって人間工学的に有益であって、かつ装着者にとって快適である位置において子供を搬送するための臀部用座面デバイスおよびシステムを提供する。臀部用座面デバイスは、装着者係合表面に取り付けられる着座プラットフォームを備えてもよい。装着者係合表面は、装着者を囲む腰部ベルト等によって、装着者の身体に対して保持される。着座プラットフォームは、その上に着座された子供が人間工学的開脚蹲踞位置（「Ｍ」位置）をとることを助長するためのバケット形状を有する。バケット形状は、子供を装着者により近づけ、搬器にかかるモーメント、したがって、装着者にかかる結果として生じる力を低減させる、付加的利点を有し得る。
2018510017.tif 000002
【特許請求の範囲】
【請求項１】
臀部用座面であって、
バケット形状を有する着座プラットフォームであって、前記バケット形状は、前記着座プラットフォームの外側縁から離れるように略下向きに前記着座プラットフォームの中心軸に向かって傾斜する、前記着座プラットフォームの中心軸と垂直の輪郭を備える、着座プラットフォーム
を備える、臀部用座面。
【請求項２】
前記バケット形状はさらに、前記着座プラットフォームの外側縁から離れるように略下向きに前記着座プラットフォームの中心軸に沿って傾斜する輪郭を備える、請求項１に記載の臀部用座面。
【請求項３】
前記着座プラットフォームと装着者係合表面との間の角度は、９０〜１８０度である、請求項２に記載の臀部用座面。
【請求項４】
前記着座プラットフォームの中心軸と垂直の輪郭は、５〜３５度の傾斜を有する、請求項２に記載の臀部用座面。
【請求項５】
前記着座プラットフォームの中心軸と垂直の輪郭は、１５〜２５度の傾斜を有する、請求項２に記載の臀部用座面。
【請求項６】
前記着座プラットフォームの外側縁から離れるように略下向きに前記着座プラットフォームの中心軸に沿って傾斜する輪郭は、５〜３５度の傾斜を有する、請求項２に記載の臀部用座面。
【請求項７】
前記着座プラットフォームの外側縁から離れるように略下向きに前記着座プラットフォームの中心軸に沿って傾斜する輪郭は、１５〜２５度の傾斜を有する、請求項２に記載の臀部用座面。
【請求項８】
前記着座プラットフォームは、発泡体材料から成る、請求項２に記載の臀部用座面。
【請求項９】
装着者係合表面をさらに備え、前記着座プラットフォームおよび前記装着者係合表面は、単一部品から形成される、請求項２に記載の臀部用座面。
【請求項１０】
臀部用座面付き搬器システムであって、
臀部用座面付き搬器であって、
バケット形状を有する着座プラットフォームであって、前記バケット形状は、前記着座プラットフォームの外側縁から離れるように略下向きに前記着座プラットフォームの中心軸に向かって傾斜する、前記着座プラットフォームの中心軸と垂直の輪郭を備える、着座プラットフォームと、
前記臀部用座面付き搬器を据え付け、かつ除去するための受容側締結具および係合側締結具を有する、装着者を囲むための腰部ベルトと、
を備える、臀部用座面付き搬器と、
前記臀部用座面付き搬器に接続される、搬器胴体支持部分と、
を備える、臀部用座面付き搬器システム。
【請求項１１】
前記バケット形状はさらに、前記着座プラットフォームの外側縁から離れるように略下向きに前記着座プラットフォームの中心軸に沿って傾斜する輪郭を備える、請求項１０に記載の臀部用座面付き搬器システム。
【請求項１２】
前記着座プラットフォームと装着者係合表面との間の角度は、９０〜１８０度である、請求項１１に記載の臀部用座面付き搬器システム。
【請求項１３】
前記着座プラットフォームの中心軸と垂直の輪郭は、５〜３５度の傾斜を有する、請求項１１に記載の臀部用座面付き搬器システム。
【請求項１４】
前記着座プラットフォームの中心軸と垂直の輪郭は、１５〜２５度の傾斜を有する、請求項１１に記載の臀部用座面付き搬器システム。
【請求項１５】
前記着座プラットフォームの外側縁から離れるように略下向きに前記着座プラットフォームの中心軸に沿って傾斜する輪郭は、５〜３５度の傾斜を有する、請求項１１に記載の臀部用座面付き搬器システム。
【請求項１６】
前記着座プラットフォームの外側縁から離れるように略下向きに前記着座プラットフォームの中心軸に沿って傾斜する輪郭は、１５〜２５度の傾斜を有する、請求項１１に記載の臀部用座面付き搬器システム。
【請求項１７】
前記着座プラットフォームは、発泡体材料から成る、請求項１１に記載の臀部用座面付き搬器システム。
【請求項１８】
装着者係合表面をさらに備え、前記着座プラットフォームおよび前記装着者係合表面は、単一部品から形成される、請求項１１に記載の臀部用座面付き搬器システム。
【請求項１９】
臀部用座面付き搬器であって、
バケット形状を有する着座プラットフォームであって、前記バケット形状は、前記着座プラットフォームの外側縁から離れるように略下向きに前記着座プラットフォームの中心軸に向かって傾斜する、前記着座プラットフォームの中心軸と垂直の輪郭と、前記着座プラットフォームの外側縁から離れるように略下向きに前記着座プラットフォームの中心軸に沿って傾斜する輪郭とを備え、前記着座プラットフォームの中心軸と垂直の輪郭は、５〜３５度の傾斜を有し、前記着座プラットフォームの外側縁から離れるように略下向きに前記着座プラットフォームの中心軸に沿って傾斜する輪郭は、５〜３５度の傾斜を有する、着座プラットフォームと、
前記着座プラットフォームを受容するための臀部用座面ポケットと、
前記臀部用座面付き搬器を据え付け、かつ除去するための受容側締結具および係合側締結具を有する、装着者を囲むための腰部ベルトであって、パッド詰めまたはクッション詰めされる、腰部ベルトと、
を備える、臀部用座面付き搬器。
【請求項２０】
前記着座プラットフォームは、発泡体材料から成る、請求項１９に記載の臀部用座面付き搬器。
【発明の詳細な説明】
【技術分野】
【０００１】
（関連出願）
本願は、２０１５年３月３１日に出願された米国仮特許出願第６２／１４０，９９４号、発明の名称「ＨＩＰ  ＳＥＡＴ  ＤＥＶＩＣＥ  ＡＮＤ  ＳＹＳＴＥＭ」、発明者Ｔｅｌｆｏｒｄらに対する３５ＵＳＣ§１１９の下での優先権の利益を主張するものであり、該米国仮特許出願は、参照により本明細書中に完全に援用される。
【０００２】
本開示は、子供搬器に関する。より具体的には、本開示は、子供のための着座プラットフォームを提供する、子供搬器に関する。さらにより具体的には、本開示は、子供を人間工学的に有益な位置に位置付けるように成形される着座プラットフォームを有する、子供搬器に関する。
【背景技術】
【０００３】
装着式子供搬器は、装着者（例えば、両親、介護者）が、手および腕の移動の自由を維持しながら、子供を快適に搬送することを可能にする。これらの搬器はまた、搬器が、子供を臀部上に支持することを支援するために脊椎を偏移させる両親の傾向を低減させ得るため、装着者にとっても改良された人間工学を可能にする。
【０００４】
いくつかの現在利用可能な子供搬器は、装着者の腰部の周囲に巻着し、子供をその上に着座させるための着座表面を提供する。これらのタイプの搬器は、概して、臀部用座面と称される。着座表面は、通常、半円形または半楕円形であって、かつ水平に平面な棚の形態である。これらの着座表面の形状は、子供の脚部を下向きに懸架させる。加えて、子供は、多くの場合、座面の縁に落ち着き、座面の曲げモーメントを増加させ、装着者にとって不快感をもたらす。装着者の不快感をさらに増加させるものとして、装着者に近接する、そのような着座表面の正面縁は、短くかつ平坦であって、子供が着座表面上に設置されると、装着者にとって不快感をもたらす。
【０００５】
したがって、所望されるのは、子供の人間工学的位置付けを助長する一方、装着者にとってもまた快適である、臀部用座面である。
【発明の概要】
【課題を解決するための手段】
【０００６】
それらの目的のために、とりわけ、本明細書に開示される臀部用座面デバイスおよびシステムの実施形態は、内向きまたは外向きのいずれかに面した配向において、その上に着座された子供にとって人間工学的に有益な位置を助長する、輪郭付けられたバケット形状（例えば、着座プラットフォームが着座プラットフォームの外側縁から離れるように略下向きに傾斜し、プラットフォームの内側に向かってより深くなる、形状）を有する、着座プラットフォームを提供する。具体的には、ある実施形態では、着座プラットフォームの外側縁は、着座プラットフォームの最高点であってもよい。例えば、着座表面は、概して、着座表面の中心軸から着座表面の外側縁へと傾斜が付けられ得るか、または、装着者に近接する着座表面の正面縁から外側縁へと傾斜が付けられ得る。加えて、ある実施形態では、着座プラットフォームの外側縁は、平面状または傾斜付きの上部表面を有してもよい。
【０００７】
故に、ある実施形態では、着座表面の外側縁は、中心軸より高いため、より多くの大腿部支持は、その上に着座された子供に提供する一方、加えて、子供の膝を上昇させる役割を果たし、子供にとって人間工学的に有益な位置を助長し得る。外側縁の平面状または傾斜付きの上部表面はさらに、そのような人間工学的に有益な位置を助長し得る。さらに、着座表面の低点は、装着者に近接し得るため（例えば、装着者に近接する着座表面の縁に沿って）、そのような着座表面は、子供を装着者に近い位置に着座または保定し、子供の重心を装着者に近づけ得る。子供を装着者のより近くに位置付けることによって、実施形態はさらに、子供の大腿部を支持し、子供の膝を上昇させるための付加的余地を提供することにより、子供の人間工学的に有益な位置を助長し得る。
【０００８】
加えて、子供を装着者のより近くに位置付けることによって、圧力が殆ど装着者の胴体または臀部に発生されなくなり（例えば、臀部用座面の底部表面または縁によって）、装着者の快適性が増加され得る。装着者の快適性をさらに増加させるために、着座プラットフォームの着座表面の正面縁は、延在され、アールが設けられてもよい。同様に、次いで、着座プラットフォームの正面縁を含む、臀部用座面の装着者係合表面も、増加された面積を有し、装着者の身体に適応するようにアールが設けられてもよい。
【０００９】
特に、次いで、輪郭付けられたバケット形状の着座プラットフォームを伴う、臀部用座面システムの実施形態は、子供を人間工学的開脚蹲踞位置（「Ｍ」位置）に支持してもよく、子供の骨盤、臀部、および大腿部の全てが支持された状態となる。子供の体重は、子供の体重が主に仙骨にかかった状態で子供が着座しないように支持されることができる。子供は、膝が臀部と水平またはより高い、ある場合には、９０度より高い状態で支持されることができる。バケット状着座表面は、子供の臀部より広く、したがって、子供の臀部を支持してもよい。着座表面の外側縁は、子供の臀部からある距離において子供の大腿部の下およびその周囲を通過してもよく、子供の大腿部の下およびその周囲を通過する外側縁の部分は、子供の膝を持ち上げる役割を果たす。
【００１０】
人間工学的開脚蹲踞位置（「カエル足」、「カエル」、「蹲踞開脚」、または「Ｍ」位置としても知られる）では、股関節における撓曲は、冠状面から少なくとも９０°、ある場合には、１１０°〜１２０°であって、開脚角度は、正中面から平均約４５〜５５°であることができる。股関節および開脚の角度は、臀部用座面の形状因子および子供の発達段階に依拠し得る。一実施形態では、臀部用座面は、子供の大腿部が冠状面から約９０°〜１１０°にある位置（または、他の高さ位置）に子供を支持し、子供の膝がある開脚量を伴うように位置付けるように適合されることができる。開脚量は、子供の発達段階および配向に依存し得、新生児は、３０°未満、次第に約３０°、次第に約３５°〜４０°等を有し、最終開脚は、約４０°〜４５°であるが、他の開脚量も含まれるように達成され得る（例えば、約５５°）。一実施形態では、開脚は、正中面から少なくとも２０°度であってもよい。子供の体重は、仙骨があまり多くの体重を支承することがなく、かつ子供が、骨盤発達のためにより優れていると考えられる開脚蹲踞位置（「Ｍ」位置）において、より自然に湾曲した「Ｃ」脊椎状態で静置し得るように、子供の臀部、大腿部、および背部を横断して分散されることができる。ある場合には、膝は、開脚されない。しかしながら、子供が主にその仙骨上に着座する姿勢ではなく、好ましくは、支持姿勢を強調する任意の快適な位置に、子供が位置付けられることができることに留意されたい。
【００１１】
本明細書に開示される実施形態は、着座プラットフォームと、装着者係合表面とを有する、臀部用座面デバイスを含む。着座プラットフォームは、バケット形状を有してもよく、バケット形状は、着座プラットフォームの外側縁から離れるように略下向きに中心軸に向かって傾斜する、着座プラットフォームの中心軸と垂直の輪郭を備える。本輪郭は、５〜３５度の傾斜を有してもよい。装着者係合表面は、着座プラットフォームに接続されてもよく、装着者の身体に対して静置するように構成されてもよい。いくつかの実施形態では、着座プラットフォームと装着者係合表面との間の角度は、９０〜１８０度であってもよい。着座プラットフォームおよび装着者係合表面は、単一部品から形成されてもよく、発泡体材料から成ってもよい。
【００１２】
いくつかの実施形態では、バケット形状はさらに、外側縁から装着者係合表面に略下方に中心軸に沿って傾斜する輪郭を備えてもよい。本輪郭は、５〜３５度の傾斜を有してもよい。いくつかの実施形態では、着座プラットフォームおよび装着者係合表面は、単一部品から成ってもよく、発泡体材料から作製されてもよい。
【００１３】
臀部用座面デバイスは、子供を搬送するための臀部用座面付き搬器内で使用され得る、臀部用座面挿入体であってもよい。例えば、臀部用座面デバイスは、臀部用座面付き搬器の臀部用座面ポケットの中に挿入されてもよい。臀部用座面付き搬器は、臀部用座面付き搬器を据え付け、かつ除去するための受容側締結具および係合側締結具を有する、装着者を囲むための腰部ベルトを含んでもよい。腰部ベルトは、パッド詰めまたは別様にクッション詰めされ、装着者の快適性を増加させてもよい。
【００１４】
いくつかの実施形態では、臀部用座面付き搬器システムは、臀部用座面デバイスと、臀部用座面付き搬器に結合するために構成される搬器胴体支持部分とを有する、臀部用座面付き搬器を備える。搬器胴体支持部分は、肩部ストラップを含み、子供を搬送するための付加的支持を提供してもよい。
【００１５】
実施形態による臀部用座面デバイスおよびシステムは、適切な小児骨化／骨形成を助長する、ユニークな輪郭付けられた着座プラットフォームを提供する。パッド詰めされた広い座面は、子供の体重が実質的に均一に分散され、装着者にとって追加快適性を提供することを確実にする。広く、角度付けられ、かつ輪郭付けられたバケット座面は、搬送される子供のための大腿部支持を提供し、その膝を臀部レベルまたはより高くまで上昇させる。これらの開示される特徴は、個々に、かつ組み合わせて検討され、全て、搬送される子供が適切な小児骨化／骨形成のための「開脚蹲踞」位置（「Ｍ」位置）をとることを助長する一方、装着者にとって快適性を提供するように動作する。
【図面の簡単な説明】
【００１６】
付随の本明細書の一部を形成する図面は、本開示のある側面を図示するために含まれる。実施形態ならびに実施形態とともに提供されるデバイスおよびシステムの種々の構成要素および動作のより明確な印象は、例えば、同じ参照番号が全体を通して同一構成要素を示す、図面に示される具体的実施形態を参照することによって、より明白となるであろう。図面に図示される特徴は、必ずしも、正確な縮尺で描かれていないことに留意されたい。
【００１７】
【図１】図１は、典型的従来の子供搬送用座面プラットフォームの図を示す。
【図２】図２は、臀部用座面の一実施形態の図を示す。
【図３Ａ】図３Ａは、臀部用座面の一実施形態の図を示す。
【図３Ｂ】図３Ｂは、寸法仕様を伴う、臀部用座面の一実施形態の図を示す。
【図４Ａ】図４Ａは、臀部用座面の一実施形態の図を示す。
【図４Ｂ】図４Ｂは、寸法仕様を伴う、臀部用座面の一実施形態の図を示す。
【図４Ｃ】図４Ｃは、寸法仕様を伴う、臀部用座面の一実施形態の図を示す。
【図５Ａ】図５Ａは、臀部用座面の一実施形態の図を示す。
【図５Ｂ】図５Ｂは、寸法仕様を伴う、臀部用座面の一実施形態の図を示す。
【図５Ｃ】図５Ｃは、寸法仕様を伴う、臀部用座面の一実施形態の側面断面図を示す。
【図６】図６は、臀部用座面システムの一実施形態の図を示す。
【図７】図７は、臀部用座面システムの一実施形態を示す。
【図８】図８は、装着者の身体上に装着された図７の臀部用座面システムの実施形態を示す。
【図９】図９は、搬送される子供を伴う、図８の臀部用座面システムの実施形態を示す。
【図１０Ａ】図１０Ａは、臀部用座面システムの一実施形態を示す。
【図１０Ｂ】図１０Ｂは、臀部用座面システムの一実施形態を示す。
【図１１Ａ】図１１Ａは、正面内向き搬送構成で利用される、臀部用座面システムの一実施形態を示す。
【図１１Ｂ】図１１Ｂは、正面外向き搬送構成で利用される、臀部用座面システムの一実施形態を示す。
【図１１Ｃ】図１１Ｃは、背面搬送構成で利用される、臀部用座面システムの一実施形態を示す。
【図１１Ｄ】図１１Ｄは、独立型構成で利用される、臀部用座面の一実施形態を示す。
【発明を実施するための形態】
【００１８】
本開示ならびにその種々の特徴および有利な詳細は、付随の図面に図示され、以下の説明に詳述される、例示的であって、したがって、非限定的である実施形態を参照することによって、より完全に説明される。公知の開始材料およびプロセスの説明は、本開示を不必要に詳細に曖昧にしないように省略され得る。しかしながら、詳細な説明および具体的実施例は、好ましい例示的実施形態を示すが、限定ではなく、例証としてのみ与えられることを理解されたい。根本的本発明の概念の精神および／または範囲内にある、種々の代用、修正、追加、および／または並べ替えは、本開示から当業者に明白となるであろう。
【００１９】
本明細書で使用されるように、用語「ｃｏｍｐｒｉｓｅｓ（備える）」、「ｃｏｍｐｒｉｓｉｎｇ（備える）」、「ｉｎｃｌｕｄｅｓ（含む）」、「ｉｎｃｌｕｄｉｎｇ（含む）」、「ｈａｓ（有する）」、「ｈａｖｉｎｇ（有する）」、またはその任意の他の文脈上の変形は、非排他的含有を網羅することが意図される。例えば、要素のリストを備える、プロセス、製品、物品、または装置は、必ずしも、それらの要素のみに限定されず、明示的に列挙されていない、あるいはそのようなプロセス、製品、物品、または装置に固有の他の要素を含んでもよい。さらに、それとは反対であることが明示的に示されない限り、用語「ｏｒ（または）」は、包括的「または」を指し、排他的「または」を指すものではない。例えば、条件「ＡまたはＢ」は、以下のうちの任意の１つによって充足される：Ａは、真（または、存在）であって、Ｂは、偽（または、不在）である、Ａは、偽（または、不在）であって、Ｂは、真（または、存在）である、ならびにＡおよびＢの両方が、真（または、存在）である。
【００２０】
本明細書で使用されるように、用語「座面」、「着座面」、「プラットフォーム」、および／またはその任意の文脈上の変形は、表面を説明するとき、概して、子供がその上に着座するために意図される表面を指す。本明細書で使用されるように、用語「臀部」、「腰部」、および／またはその任意の文脈上の変形は、表面を説明するとき、概して、装着者（例えば、子供を搬送する両親または成人）の腰部または臀部上に静置する、または別様にそれと係合するために意図される表面を指す。
【００２１】
本明細書で使用されるように、用語「締結具」、「締結」、および／またはその任意の文脈上の均等物もしくは変形は、当技術分野において現在公知である、または今後説明されるかどうかにかかわらず、例えば、ボタン、スナップ、Ｄリング、クリップ、フック、フックおよびループ材料のパッチ、ならびに／または任意の他の固着機構等の任意のタイプの固着機構を指し得る。
【００２２】
本明細書に与えられる任意の実施例または例証は、それらが利用される任意の用語または複数の用語の定義を制限、限定、または表現するものといかようにも見なされるものではない。代わりに、これらの実施例または例証は、特定の実施形態に関して説明され、例証的にすぎないものと見なされるものである。当業者は、これらの実施例または例証が利用される、任意の用語または複数の用語が、それとともに、または本明細書のいずれかにおいて与えられ得る、または与えられない場合がある、他の実施形態ならびにその実装および／または適合を包含し得、全てのそのような実施形態が、本開示の範囲内に含まれるべきことが意図されることを理解されるであろう。そのような非限定的実施例および例証を指定する言語は、限定ではないが、「ｆｏｒ  ｅｘａｍｐｌｅ（例えば）」、「ｆｏｒ  ｉｎｓｔａｎｃｅ（例として）」、「ｅ．ｇ．（等）」、「ｉｎ  ｏｎｅ  ｅｍｂｏｄｉｍｅｎｔ（一実施形態では）」、「ａｎ  ｅｍｂｏｄｉｍｅｎｔ（ある実施形態）」、および同等物を含む。
【００２３】
実施形態をより詳細に掘り下げる前に、ある背景情報が、有用となり得る。子供は、産まれたとき、全後彎の状態にある（すなわち、背部が、文字「Ｃ」のように丸みを帯びる）。すなわち、子供の脊椎は、子宮に居たときのように、実質的に屈曲したままである。子供の股関節は、子宮内でその最終形状となるが、誕生後、成熟する。股関節の軟骨様物質が、経時的に骨となる。
【００２４】
脊椎および骨盤は、仙腸関節によって、股関節に接続される。脊椎および骨盤の移動は、直接、相互に影響を及ぼす。子供がその背中を丸めると、骨盤は、若干前方に傾き、これは、股関節の健康な発達を可能にする。幼児の背中は、より年長の子供のものより丸い。子供の背中が直線に保たれる場合、骨盤は、後方に傾き、これは、股関節の発達に悪影響を及ぼし得る。
【００２５】
理想的臀部発達を助長するために、子供の臀部は、発達段階の間、可能な限り歪みがないべきである。これは、子供が可能な限り多くその脚部を屈曲および開脚することで達成され得る。一実施形態では、冠状面の上方約９０〜１５０度および正中面から約２５〜６５度の臀部撓曲角度を促す、輪郭付けられた臀部用座面プラットフォームが、開示される。別の実装では、開示される実施形態は、冠状面の上方約１２０度および正中面から約４５度の臀部撓曲角度を助長する、人間工学的に輪郭付けられた臀部用座面デバイスおよびシステムを提供する。冠状面は、身体を２つの部分、すなわち、正面（腹側）と背面（背側）に分割した垂直面である。正中（または正中矢状）面は、身体を２つの対称半体（左および右）に分割した垂直面である。
【００２６】
膝が臍部と実質的に同一レベルにあって、脚部が開脚される場合、子供は、「開脚蹲踞」位置と称される状態にある。開脚蹲踞位置はまた、「カエル足」位置、「カエル」位置、「蹲踞開脚」位置、または「Ｍ」位置とも様々に称される。本明細書で使用されるように、「開脚蹲踞」は、股関節の窩内の大腿骨頭、すなわち、寛骨臼の人間工学的に有益な位置付けを参照して最も頻繁に使用される用語を表す。股関節の窩は、腸骨の関節面である。開脚蹲踞位置は、実質的に等しい歪みを寛骨臼の全面積にもたらし、これは、骨化中心（すなわち、骨のコア）の発達のために好ましい。
【００２７】
子供は、生後から本位置で搬送されるべきであって、実際、股関節異形成の兆候がある場合、これは、医師によっても推奨される。開脚蹲踞位置は、生まれつき、何らかの理由から意図されており、搬送するときに、使用されるべきである。例えば、子供は、抱え上げられるとすぐに、本能的にその脚部を開脚蹲踞位置に持って来るであろう。
【００２８】
子供座面搬器および人間工学的位置付けに関する付加的情報は、Ｆｒｏｓｔによって２００４年９月９日に出願され、「ＢＡＢＹ  ＣＡＲＲＩＥＲ」と題された米国特許出願第１０／９３７，１９３号（現米国特許第７，３２２，４９８号）、Ｔｅｌｆｏｒｄ  ｅｔ  ａｌ．によって２０１４年３月１３日に出願され、「ＣＨＩＬＤ  ＣＡＲＲＩＥＲ」と題された米国特許出願第１４／２０９，５８０号（現米国特許第９，１８５，９９３号）、およびＦｒｏｓｔによって２００９年８月１９日に出願され、「ＩＮＦＡＮＴ  ＣＡＲＲＩＥＲ」と題された米国特許出願第１２／５４４，０９３号（現米国特許第９，２２０，３５２号）に見出され得、参照することによって本明細書に組み込まれる。
【００２９】
故に、実施形態による臀部用座面デバイスは、その上に設置される子供を保持するための輪郭付けられた着座プラットフォームを提供し得る。着座プラットフォームは、バケット形状を有してもよく、子供が人間工学的に有益な座位をとることを助長し得る。加えて、バケット形状は、子供を装着者に向かって引き寄せさせ、装着者にとって増加された快適性を提供し得る。
【００３０】
ここで図１を参照すると、従来の子供搬器座面挿入体が、描写される。従来の臀部用座面は、略平面であって、その上に着座された子供が開脚蹲踞位置（「Ｍ」位置）をとることを促すように人間工学的に構成されていない場合がある。故に、従来の子供搬器座面挿入体は、概して、適切な小児骨化／骨形成を助長するための良好な選択肢ではない。
【００３１】
図２、３Ａ、４Ａ、および５Ａは、一実施形態による、臀部用座面挿入体１００を示す。臀部用座面挿入体１００は、着座プラットフォーム１０２と、装着者係合表面１０４とから成る。着座プラットフォーム１０２は、その上に設置される子供を保持するための面積を提供する。装着者係合表面１０４は、着座プラットフォーム１０２に接続され、装着者に接触するための表面を提供する。装着者係合表面１０４は、臀部用座面付き搬器の腰部ベルトの使用等を通して、装着者に対して保持される（例えば、図６および１０Ｂ参照）。
【００３２】
着座プラットフォーム１０２は、その上に着座された子供が開脚蹲踞位置（「Ｍ」位置）をとる位置に共形化するように、輪郭付けられ、人間工学的に適合される。そのような開脚蹲踞位置は、例えば、有利であり得、例えば、適切な小児骨化／骨形成を助長し得る。加えて、臀部用座面挿入体１００の輪郭は、子供を装着者に向かって引き寄せさせ、臀部用座面のモーメントを低減させ、したがって、装着者にとって快適性を増加させ得る。
【００３３】
装着者係合表面１０４はまた、装着者の周囲に確実かつ快適なフィットを提供するように輪郭付けられてもよい。着座プラットフォーム１０２および装着者係合表面１０４は、子供の体重が支持され得るように接続される。一実施形態では、臀部用座面挿入体１００は、図２−５に示されるように、単一部品であってもよい。他の実施形態では、臀部用座面挿入体１００は、複数の部品を備えてもよい。
【００３４】
着座プラットフォーム１０２および装着者係合表面１０４（例えば、一実施形態では、臀部用座面挿入体１００）は、限定ではないが、発泡体、ポリマー、金属、および木材を含む、任意の材料または材料の組み合わせから作製されてもよい。
【００３５】
一実施形態では、着座プラットフォーム１０２は、座面輪郭が分岐する、外側縁１０６を有し、バケット形状を生成してもよい。着座表面の最大深度点は、頂点１１５と称され得る（図４Ｃに示されるように）。
【００３６】
本明細書で使用されるように、着座プラットフォームの外側縁は、装着されたときの装着者から遠位の着座プラットフォームの最外縁を指し、座面が外側縁から離れるように下向きに傾斜し、バケット形状を形成する、着座プラットフォームの最高部分であってもよい。外側縁は、平坦、丸形、尖端等を含む、任意の形状の断面を有してもよい。平坦外側縁は、任意の幅を有してもよく、その上に着座された子供の脚部のための支持を提供してもよい。
【００３７】
図３Ａは、一実施形態による、臀部用座面挿入体の上面図を示す。臀部用座面挿入体１００は、着座プラットフォーム１０２と、装着者係合表面１０４とを備える。装着者係合表面１０４は、装着者に当接し、装着者上に保持される（例えば、装着者を囲む腰部ベルトによって）。外側縁１０６は、略平面であってもよく、そこから輪郭付けられた着座プラットフォームが、分岐し、バケット形状を形成してもよい。
【００３８】
従来の着座プラットフォームは、半円形または半楕円形形状（図１参照）を有し得るが、実施形態による着座プラットフォーム１０２は、より四角い形状（図３Ａ参照）を有する、外側縁を有してもよく、これは、外向きに面した配向において、子供の大腿部を支持するためのより多くの面積を提供し、したがって、人間工学的に有益な座位を助長することに役立ち得る。
【００３９】
加えて、着座プラットフォーム１０２は、従来の設計より広い、装着者係合表面１０４を有してもよい。装着者係合表面の増加された幅は、力をより大きい面積にわたって分散させ、したがって、装着者の胴体にかかる圧力を低減させること等によって、装着者にとっての快適性を増加させ得る。着座プラットフォームもまた、装着者係合表面の幅に合致するように、より広くてもよい。着座プラットフォームの増加された幅もまた、装着者に面した（内向きに面した）配向において着座された子供に付加的大腿部支持を提供し、人間工学的に有利な座位を助長することに役立ち得る。
【００４０】
図３Ａに示される実施形態では、より四角い外側縁および装着者係合表面近傍のより広い着座プラットフォームはともに、従来の搬器の半円形または「Ｄ」形状の座面（例えば、図１参照）と比較して、より台形形状を着座プラットフォーム１０２に与え得る。
【００４１】
図３Ｂは、ある実施形態による、約１５．８ｃｍの着座プラットフォーム最大深度と、約１２．４５ｃｍの着座プラットフォーム最小深度と、約４．６１ｃｍのテーパ深度を伴う装着者係合表面とを含む、臀部用座面挿入体１００のための寸法および仕様を示す。これらの寸法および仕様は、例示的であって、他の実施形態に従って、種々の他の人間工学的構成を達成するように変動または別様に好適に適合されてもよい。
【００４２】
図４Ａは、一実施形態による、人間工学的に輪郭付けられた臀部用座面の正面図を示す。本図では、外側縁１０６の平面は、図面に直交する、したがって、外側縁１０６は、本図では、水平線として現れる。着座プラットフォーム１０２の正面縁１１６は、外側縁１０６の下方に現れ、着座プラットフォーム１０２と装着者係合表面１０４を接続する。着座プラットフォームは、中心軸と垂直の輪郭を有する。言い換えると、断面が、中心軸と垂直の平面に沿って着座表面から得られる場合、着座表面は、中心軸から外側縁１０６までの全面的傾斜を有する。最大深度点は、頂点１１５と称され得る。図４Ａに示されるような一実施形態では、頂点１１５は、臀部用座面挿入体１００の中心軸１１３と一致する。
【００４３】
図４Ａに示されるような一実施形態では、着座プラットフォームは、変動する傾斜を有してもよい。左から右に移動すると、着座プラットフォームは、外側縁１０６によって形成される平面と略平行に始まり得る。着座プラットフォームの傾斜は、最大傾斜１１０まで徐々に増加する（図４Ｃ参照）。着座プラットフォーム１０２の傾斜は、次いで、外側縁１０６と略平行になるまで、徐々に減少し得る。図４Ｃでは、着座プラットフォーム１０２は、頂点１１５において、外側縁１０６と略平行である。着座プラットフォームの他側は、第１の側の鏡像であってもよい（中心軸１１３に対して）。別の実施形態では、着座プラットフォームの傾斜は、一定であってもよい。
【００４４】
図４Ａに示されるもの等の着座プラットフォーム輪郭を有する搬器内に着座された子供は、臀部用座面挿入体１００の中心軸１１３に向かって自然に引き寄せられ得る。そのような移動は、重力および／または子供が快適座位を探すことに起因してもよい。前面または逆面のいずれに面する配向でも、子供の大腿部は、輪郭付けられた着座プラットフォームの傾斜が付けられた部分上に静置され、子供の膝を押し上げ得る。本配向は、冠状面の上方９０度を上回る臀部撓曲角度を生成し、したがって、人間工学的に有利な座位を提供し得る。
【００４５】
図４Ｂは、ある実施形態による、約２６．３９ｃｍの側面間着座プラットフォーム幅と、約１５．７９ｃｍの幅を伴う着座プラットフォームに対向する表面と、約３．３５ｃｍの最大変位を伴う着座プラットフォーム輪郭と、約１９．７３度の傾斜とを含む、臀部用座面挿入体１００のための寸法および仕様を示す。図４Ｃはさらに、傾斜１１０と、頂点１１５における座面輪郭の深度（へこみ変位）１．３２インチ（３．３５ｃｍ）とを描写する。これらの寸法および仕様は、例示的であって、他の実施形態に従って、種々の他の人間工学的構成を達成するように変動または別様に好適に適合されてもよい。
【００４６】
図５Ａは、一実施形態による、臀部用座面の側面図を示す。本図では、着座プラットフォーム１０２の外側縁１０６のみが、可視である。着座プラットフォームおよび装着者係合表面の残りは、見えない。
【００４７】
図５Ｃは、臀部用座面挿入体１００の一実施形態の断面図である。外側縁１０６の一部が、本図では可視である。本配向では、外側縁１０６は、水平に配向される。輪郭１１８は、断面における着座プラットフォーム１０２の表面を画定する。着座プラットフォームは、外側縁から略下向きに装着者係合表面に向かって傾斜してもよい。輪郭１１８は、外側縁１０６の平面からの座面輪郭１１８の偏差によって測定された断面における傾斜１２０を有してもよい。輪郭１１８の傾斜は、外側縁から正面縁まで一定であってもよい、または可変であってもよい。
【００４８】
臀部／腰部傾斜１３０は、図５Ｃに関する垂直軸に対してある角度を画定する。装着されると、装着者係合表面１０４は、装着者に対して保持され、略垂直であってもよい。したがって、臀部用座面付き搬器が空で装着されると、外側縁１０６は、臀部／腰部傾斜１３０の角度の大きさだけ水平に対して勾配が付けられてもよい。着座プラットフォーム１０２は、したがって、臀部／腰部傾斜１３０および傾斜１２０の和にほぼ等しい、水平に対してさらに大きな角度で勾配が付けられてもよい。
【００４９】
使用時、着座プラットフォームの実際の勾配は、多数の理由から変動してもよい。例えば、装着者係合表面１０４は、装着者の胴体に対して完全に保持され得ない、装着者は、搬器が装着される場合、完璧に垂直胴体を有し得ない、その上に着座された子供の体重が、臀部搬器を変形または回転させ得る等のためである。したがって、本明細書に提供される角度および寸法は、使用時に異なり得る。そのような要因は、臀部用座面挿入体１００を設計する際に考慮されてもよい。
【００５０】
輪郭１１８は、その上に着座された子供を任意の配向における装着者に向かって引き寄せさせ得る。子供が外向きに面した配向にある状態では、子供の大腿部は、輪郭１１８上に静置され、したがって、冠状面上方９０度を上回る臀部撓曲角度を生成し得る。子供を装着者に向かって引き寄せることによって、着座プラットフォーム１０２の多くが、子供の大腿部を支持可能となり得る。内向きに面した配向では、中心軸と垂直な座面傾斜は、子供に冠状面上方９０度を上回る臀部撓曲角度を有する位置をとらせ得る。子供は、重力および／または快適性に起因して、本位置に留まり、したがって、人間工学的に有利な座位を持続することに役立ち得る。
【００５１】
輪郭１１８はまた、臀部用座面付き搬器の装着者にとって快適性を改良するという二次的利点を有し得る。子供が臀部用座面付き搬器の「棚」上に着座されると、搬器の上部を装着者から引き離し、搬器の底部を装着者に押し付ける傾向にある、モーメントが、生成される。子供の重心が装着者から離れるほど、より大きなモーメント、したがって、より大きな力が、装着者に印加される。経時的に、搬器の底部は、装着者に「突き当たり」、不快感を生じさせ得る。子供を装着者に向かって引き寄せさせることによって、搬器にかかるモーメントは、低減され、したがって、装着者によって供給されなければならない反応力を低減させ得る。
【００５２】
図５Ｂは、一実施形態による臀部用座面の側面図であって、輪郭付けられた着座表面および隠された線として他の特徴を示す。加えて、図５Ｂは、ある実施形態による、約１４．１３ｃｍの着座表面の外側縁と対応する対向する挿入表面との間の高度と、約１７．０２ｃｍの正面表面から対向する挿入背面表面までの変位（示される表面の頂点において）と、約２．７４ｃｍの装着者係合表面（例えば、装着者の臀部／腰部と接触するために意図される表面）から最大の輪郭付けられた凹状へこみ（着座表面に位置する）までの変位と、約１９．７５度の傾斜１２０と、約１７．０４度の臀部／腰部（装着者の臀部／腰部の上部から装着者の臀部／腰部の底部までの）傾斜１３０とを含む、臀部用座面挿入体１００のための寸法および仕様を示す。
【００５３】
図５Ｃはさらに、１９．７５度の傾斜１２０と、１７．０４度の臀部／腰部傾斜１３０と、１．７６インチの外側頂点１３２における臀部／腰部輪郭の深度と、約１．０８インチの内側頂点１３４における臀部／腰部輪郭の深度とを描写する。これらの寸法および仕様は、例示的であって、他の実施形態に従って、種々の他の人間工学的構成を達成するように変動または別様に好適に適合されてもよい。
【００５４】
臀部用座面挿入体１００の開示される寸法、仕様、およびトポグラフィ特徴は、その上に着座する子供が開脚蹲踞位置（「Ｍ」位置）をとるように配向するか、共形化するか、助長するか、または別様に促す、座面プラットフォームを提供するように選択または別様に構成される。寸法および仕様が上記に開示されたが、種々の他の寸法および仕様が、代替として、併せて、または連続して、他の人間工学的に有利な位置を助長するために採用されてもよく、全てのそのような寸法および仕様が本明細書で検討されることを理解されたい。
【００５５】
多くの変形例が、子供のための着座プラットフォームを提供するために可能性として考えられ得る。本明細書に開示される実施形態は、子供搬器座面挿入体の輪郭を説明し得るが、当業者は、座面挿入体の１つの効果が、臀部用座面付き搬器のポケットの中に挿入されるときの所望の形状のための支持を提供することであることを認識するであろう。したがって、本明細書に説明される座面挿入体の輪郭は、子供のための着座プラットフォームを提供するような任意の様式で具現化されてもよい。
【００５６】
図６は、一実施形態による、挿入ポケットフラップ６４６を通して臀部用座面挿入体１００を受容するためのポケット６３５を備える、臀部用座面付き搬器５００を示す。臀部用座面付き搬器５００はさらに、装着者の臀部／腰部を囲み、したがって、装着者係合表面１０４を装着者の胴体に対して保持する、腰部ベルト５２０を備える。臀部用座面付き搬器５００はさらに、消耗品または他のアイテムを搬送するためのユーティリティポケット６１０を備えてもよい。上側締結具６４０およびジッパカバーフラップ６４８は、搬器胴体支持部分を取り付けるための特徴を隠すために使用されてもよい。
【００５７】
図７は、臀部用座面付き搬器５００および搬器胴体支持部分６５０の一実施形態を描写する。臀部用座面付き搬器５００および搬器胴体支持部分６５０は、臀部用座面付き搬器システムを形成し、その中に設置される子供の垂直および水平支持を提供してもよい。
【００５８】
臀部用座面ポケット６３５はさらに、上側締結具６４０（例えば、描写されるような締まり嵌めスナップ）と、下側締結具６４２（例えば、描写されるような締まり嵌めスナップ）とを伴う、胴体支持ジッパカバーフラップ６４８を備えてもよい。任意のタイプの締結具が、当技術分野において現在公知である、または今後別様に説明されるかどうかにかかわらず、締結具６４０、６４２の代わりに、またはそれに加え、代替として、併せて、または連続して、締結手段として使用されてもよい。臀部用座面付き搬器５００が胴体支持部分６５０と係合されないとき、上側締結具６４０および下側締結具６４２は、ジッパカバーフラップ６４８を閉鎖し、臀部／腰部ベルト部分ジッパ６４４を被覆、保護、または別様に見えなくするように、上側／下側または下側／上側に係合されてもよい。
【００５９】
臀部用座面付き搬器５００はさらに、受容側締結具アンカ６１５（例えば、描写されるような縫製されたパッチ）と、受容側締結具６２０と、調節可能ベルト６３０（装着者へのフィットをカスタマイズするために、臀部用座面付き搬器５００の包囲直径を変動させる）と、係合側締結具６２５（例えば、描写されるようなクリップバックル）とを備えてもよい。
【００６０】
一実施形態では、胴体支持部分６５０はさらに、子供の胴体を胴体支持フラップ６６０と装着者の身体（例えば、子供を搬送する両親、乳母、ベビーシッタ、または成人）との間に内部配置される領域内に受容および支持するための面積を生成するための胴体支持フラップ６６０（臀部用座面付き搬器５００と係合されるとき）を備える。胴体支持フラップ６６０は、臀部／腰部ベルト部分ジッパ６４４との係合のためのジッパ６４５を備えてもよい。ジッパ６４４および６４５は、締結手段を備え、したがって、代替として、併せて、または連続して、当技術分野において現在公知である、また今後説明されるかどうかにかかわらず、例えば、ボタン、スナップ、Ｄリング、クリップ、フック、フックおよびループ材料のパッチ、または任意の他の固着機構等の任意のタイプの固着機構を採用してもよいことを理解されたい。臀部用座面付き搬器５００は、ジッパ（または他の好適に適合される締結手段）６４４および６４５が相互に係合されると、胴体支持部分６５０と係合されてもよい。
【００６１】
概して、図７に描写されるように、例えば、胴体支持フラップ締まり嵌めスナップ６５５（または他の好適に適合される締結手段）は、臀部用座面付き搬器５００と胴体支持部分６５０の機械的取付のための臀部／腰部ベルト部分締まり嵌めスナップ６４２または６４０（または他の好適に適合される締結手段）と係合されてもよい。代替として、併せてまたは連続して、胴体支持部分６５０および／または臀部用座面付き搬器５００はさらに、臀部用座面付き搬器５００を胴体支持部分６５０に取り付けるための締結手段を被覆、保護、または別様に見えなくするための特徴を備えてもよい。
【００６２】
いくつかの実施形態では、胴体支持部分６５０はさらに、装着者肩部ストラップ６７０を備える。肩部ストラップ６７０は、装着者の快適性のためにパッド詰めまたは別様に人間工学的に適合もしくは別様に構成されてもよい。肩部ストラップ６７０はさらに、下側胴体支持ストラップ６６５への取付のための肩部ストラップ締結手段６９０と、背部ストラップ６８４と、可変背部ストラップ帯紐ランナ６７５と、帯紐ランナトラベラ６７７と、背部ストラップ受容側締結具６８０と、背部ストラップ係合側締結具６８２と、背部ストラップ帯紐ランナ締結具６８６とを備えてもよい。動作時、帯紐ランナトラベラ６７７は、装着者の背部の長さに沿って背部ストラップ６８４の相対的垂直変位を変えるように、背部ストラップ帯紐ランナ６７５の長さに沿った装着者選択縦方向変位のために好適に構成されてもよい。下側胴体支持ストラップ６６５はさらに、胴体支持部分６５０を装着者の身体に固着させるために、肩部ストラップ締結手段６９０との係合のための締結具６６７を備えてもよい。
【００６３】
図８は、臀部用座面付き搬器５００が、装着者７００の身体上の胴体支持部分６５０と係合されている、一実施形態による構成を示す。臀部用座面５００は、臀部用座面ポケット６３５が装着者７００の正面に来る状態で、装着者７００の胴体の周囲に固着される。有用ポケット６１０および調節可能ベルト６３０は、それぞれ、装着者の右および左臀部上に見られ得る。胴体支持部分６５０の胴体支持締まり嵌めスナップ６５５は、臀部用座面付き搬器５００の下側締結具６４２（図示せず）と係合される。胴体支持フラップジッパ６４５および臀部／腰部ベルト部分ジッパ６４４（図示せず）もまた、係合され、それによって、胴体支持フラップ６６０の下側部分を臀部用座面付き搬器５００上に保持してもよい。装着者肩部ストラップ６７０および下側胴体支持ストラップ６６５は、胴体支持フラップ６６０の上側部分を保持する（図９参照）。
【００６４】
図９は、臀部用座面付き搬器５００が、子供８００を搬送するために装着者８１０の身体上の胴体支持部分６５０と係合されている、別の実施形態を示す。図９では、臀部用座面付き搬器は、装着者８１０の正面に設置され、したがって、装着者８１０の左側が可視である。図９はさらに、臀部用座面ポケット６３５を開放し、臀部用座面挿入体１００を挿入／除去するためのジッパハンドル８３０を描写する。加えて、天蓋カバー８２０が、子供８００の頭部を被覆するために胴体支持部分６５０とともに含まれてもよい。
【００６５】
図１０Ａは、臀部用座面付き搬器５００が、正面内向き搬送位置において子供８００を搬送するために装着者８１０の身体上の胴体支持部分６５０と係合されている、構成を示す。
【００６６】
図１０Ｂは、臀部用座面付き搬器５００が、装着者８１０が子供８００を搬送するための胴体支持部分６５０を伴わずに使用される、構成を示す。図１０Ｂでは、臀部用座面付き搬器５００は、装着者８１０の左側に装着されている。装着者８１０は、子供８００のための側面／側面および正面／背部支持を提供してもよい。
【００６７】
図１１Ａは、臀部用座面付き搬器５００が、装着者８１０が正面内向き搬送位置において子供８００を搬送するために胴体支持部分に取り付けられている、一実施形態による構成を示す。
【００６８】
図１１Ｂは、臀部用座面付き搬器５００が、装着者８１０が正面外向き搬送位置において子供８００を搬送するために胴体支持部分に取り付けられている、一実施形態による構成を示す。
【００６９】
図１１Ｃは、臀部用座面付き搬器５００が、装着者８１０が背面搬送位置において子供８００を搬送するために胴体支持部分に取り付けられている、一実施形態による構成を示す。
【００７０】
図１１Ｄは、臀部用座面付き搬器５００が、装着者８１０が臀部座面専用搬送位置において子供８００を搬送するために胴体支持部分を伴わずに使用される、一実施形態による構成を示す。
【００７１】
前述の明細書では、本開示は、具体的実施形態を参照して説明された。しかしながら、当業者が理解するように、本明細書に開示される種々の実施形態は、本開示の精神および範囲から逸脱することなく、種々の他の方法において修正または別様に実装されることができる。故に、本説明は、例証的と見なされるべきであって、臀部用座面デバイスおよびシステムの種々の実施形態を作製および使用する様式を当業者に教示する目的のためのものである。図示および説明される本明細書中の本開示の形態は、実施形態として捉えられるべきであることを理解されたい。均等物要素または材料が、本明細書に図示および説明されるものの代用とされてもよい。さらに、本開示のある特徴は、他の特徴の使用から独立して利用されてもよく、全て、本開示の本説明の利点を享受した後、当業者に明白となるであろう。
【図１】
2018510017.tif 000003
【図２】
2018510017.tif 000004
【図３Ａ】
2018510017.tif 000005
【図３Ｂ】
2018510017.tif 000006
【図４Ａ】
2018510017.tif 000007
【図４Ｂ】
2018510017.tif 000008
【図４Ｃ】
2018510017.tif 000009
【図５Ａ】
2018510017.tif 000010
【図５Ｂ】
2018510017.tif 000011
【図５Ｃ】
2018510017.tif 000012
【図６】
2018510017.tif 000013
【図７】
2018510017.tif 000014
【図８】
2018510017.tif 000015
【図９】
2018510017.tif 000016
【図１０Ａ】
2018510017.tif 000017
【図１０Ｂ】
2018510017.tif 000018
【図１１Ａ】
2018510017.tif 000019
【図１１Ｂ】
2018510017.tif 000020
【図１１Ｃ】
2018510017.tif 000021
【図１１Ｄ】
2018510017.tif 000022
【国際調査報告】
2018510017.tif 000023